【事件の表示】
　特願２００２−　１８４０７「ひずみ補正機能を備えた投写型表示装置」拒絶査定不服審判事件〔平成１５年　７月３０日出願公開、特開２００３−２１６１３０〕について、次のとおり審決する。
【結　論】
　本件審判の請求は、成り立たない。
【理　由】
１．手続きの経緯／本願発明
　本願は、平成１４年１月２８日の出願であって、平成１６年８月１０日付け（発送日；同月１８日）で拒絶査定がなされ、これに対し、同年９月１６日に拒絶査定に対する審判請求がなされたものであり、その請求項１乃至６に係る発明は、願書に最初に添付された明細書の特許請求の範囲の請求項１乃至６に記載された事項により特定される次のとおりのものである。
「【請求項１】　表示デバイスに映像信号に応じて表示した映像をスクリーンに投写した際に発生する、水平方向および垂直方向のひずみを補正するためのひずみ補正機能を備えた投写型表示装置において、
　前記映像信号を記憶するフレームメモリと、
　水平方向および垂直方向の同期信号に基づき、前記映像信号を書き込むべき前記フレームメモリのアドレスデータを生成するアドレス生成手段と、
　前記表示デバイスに前記ひずみの補正映像を表示するために、前記表示デバイスに出力すべき前記映像信号の水平方向および垂直方向の位置データを、前記フレームメモリのアドレスデータとして予め記憶するアドレス用メモリと、
　前記表示デバイスを駆動するための水平方向および垂直方向のタイミング信号を発生するタイミング発生手段とを有し、
　前記アドレス用メモリから前記タイミング信号と同期して読み出した前記フレームメモリのアドレスデータに基づき、前記フレームメモリの該当するアドレスから前記映像信号を読み出し、読み出した映像信号に応じた映像を前記表示デバイスに表示することを特徴とする投写型表示装置。
【請求項２】　前記補正映像は、前記スクリーンに投写表示される映像のひずみを補正する逆形状を持つ映像である、請求項１に記載の投写型表示装置。
【請求項３】　前記アドレス用メモリには、前記フレームメモリのアドレスデータとして、前記補正映像をブロック単位で分割した際の当該ブロックの代表点となる映像信号の位置データのみが記憶されている、請求項１または２に記載の投写型表示装置。
【請求項４】　前記代表点以外の映像信号の位置データについては、前記アドレス用メモリに記憶されている前記代表点の映像信号の位置データに基づき加重平均に代表される補間処理により算出される、請求項３に記載の投写型表示装置。
【請求項５】　前記映像信号に対して所定の入力処理を行い、前記フレームメモリに出力する入力信号処理手段と、
　前記フレームメモリから読み出された映像信号に対して所定の出力処理を行い、前記表示デバイスに出力する出力信号処理手段とをさらに有する、請求項１から４のいずれか１項に記載の投写型表示装置。
【請求項６】　前記表示デバイスがドットマトリクス型表示デバイスである、請求項１から５のいずれか１項に記載の投写型表示装置。」
　
　上記の請求項４に係る発明のうち、請求項２を間接的に引用しないものについて、独立形式に書き直すとともに文言上の体裁を整えた発明（以下、「本願発明」という。）は、次のとおりのものである。
「表示デバイスに映像信号に応じて表示した映像をスクリーンに投写した際に発生する、水平方向および垂直方向のひずみを補正するためのひずみ補正機能を備えた投写型表示装置において、
　前記映像信号を記憶するフレームメモリと、
　水平方向および垂直方向の同期信号に基づき、前記映像信号を書き込むべき前記フレームメモリのアドレスデータを生成するアドレス生成手段と、
　前記表示デバイスに前記ひずみの補正映像を表示するために、前記表示デバイスに出力すべき前記映像信号の水平方向および垂直方向の位置データを、前記フレームメモリのアドレスデータとして予め記憶するアドレス用メモリであって、前記フレームメモリのアドレスデータとして、前記補正映像をブロック単位で分割した際の当該ブロックの代表点となる映像信号の位置データのみが記憶されているアドレス用メモリと、
　前記表示デバイスを駆動するための水平方向および垂直方向のタイミング信号を発生するタイミング発生手段とを有し、
　前記アドレス用メモリから前記タイミング信号と同期して読み出した前記フレームメモリのアドレスデータに基づき、前記代表点以外の映像信号の位置データについては、前記アドレス用メモリに記憶されている前記代表点の映像信号の位置データに基づき加重平均に代表される補間処理により算出した前記フレームメモリのアドレスデータに基づき、前記フレームメモリの該当するアドレスから前記映像信号を読み出し、読み出した映像信号に応じた映像を前記表示デバイスに表示することを特徴とする投写型表示装置。」
　
２．引用刊行物 
　原査定の拒絶の理由に引用された本願出願前に頒布された刊行物である特開平２−１８１１８２号公報（以下、「引用刊行物」という。）には、図面とともに、次の事項が記載されている。
１ａ．「１．光源と、該光源からの光を赤、緑、青の如き複数の各色の光線に分離して、それぞれ対応した各色用の各液晶パネルへ投写する光学系と、前記各液晶パネルからの出射光を同一スクリーン上に投影するように各液晶パネル対応に設けた投写レンズと、から成る液晶パネル式投写式ディスプレイにおいて、
　各液晶パネルの中心とスクリーン中心とを結ぶ各直線上に前記各投写レンズの中心を位置させ、かつ各投写レンズの光軸を前記スクリーンに対してほぼ垂直に配置すると共に、
　前記各液晶パネルの出射面と、対応した前記投写レンズと、の間にそれぞれフレネルレンズを配置し、かつ該フレネルレンズには、その相対的配置位置に従ってレンズ面にデセンタを施してそのレンズ中心を対応投写レンズの光軸上に置くことにより、スクリーンに対する投写面角を２５°以上にしたことを特徴とする液晶パネル式投写形ディスプレイ。
　・・・　　
４．請求項１に記載の液晶パネル式投写形ディスプレイにおいて、前記液晶パネルへ供給すべき画像信号を入力されてアナログ／ディジタル変換するＡ／Ｄ変換器と、該Ａ／Ｄ変換器からのディジタル信号を書込みアドレスによって書き込まれるメモリと、スクリーンに対する投写画像のミスレジストレーションを補正するに必要なデータを予め与えられていて、それにより前記書き込みアドレスから補正読み出しアドレスを演算により作成して出力する読み出しアドレス補正手段と、該補正読み出しアドレスによって前記メモリから読み出されたディジタル信号を入力されアナログ信号に変換して前記液晶パネルへ供給するＤ／Ａ変換器と、を具備してスクリーンに対する投写画像のミスレジストレーションを補正することを特徴とする液晶パネル式投写形ディスプレイ。」（「特許請求の範囲」）
　
１ｂ．「第１図において投写レンズ１７，１８，１９相互間の偏差は、本発明固有の問題である。特に１７，１９の投写レンズは左右方向に偏心状態で使用されているため左右方向の倍率及びリニアリティの偏差を発生する。付随して若干の垂直方向偏差をも発生する。
　これらミスレジストレーションを補正するための手段を、第８図に示す。以下前提条件として入力信号の画素数は液晶パネルの総画素数に等しいとする。同図はＲ，Ｇ，Ｂ中のＲについて示した。通常は第８図の構成を３組使用する。
　以下同図の構成と動作について説明する。同図で単線矢印はアナログ信号または、１ｂｉｔのディジタル信号、２重矢印は２ｂｉｔ以上のディジタル信号である。
　２３は、Ｒ，Ｇ，Ｂのいづれかのデータ入力信号である。２４はＡＤコンバータ（アナログ／ディジタル変換器）、２５はバッファメモリである。該バッファメモリの必要メモリ容量は、第１図の光学系におけるミスレジストレーションの大きさに依存して予め設定される。例えば、ミスレジストレーションの大きさが水平方向にａドットｐｐ、垂直方向にｂラインｐｐならａ×ｂ画素個分とされる。１画素当りの階調は通常８ｂｉｔ故メモリ容量は（８×ａ×ｂ）ｂｉｔとなる。
　２６は、ラインメモリであり、１走査線分の情報が蓄えられる。ラインメモリ２６の出力は、２７のＤＡコンバータ（ディジタル／アナログ変換器）でＤＡ変換され、液晶パネル１４に印加され、その透過率を制御する。
　２８はデータ入力信号に伴なう水平同期信号、２９は同じく垂直同期信号、３０は、クロック再生用のＰＬＬ回路を含むアドレス信号３１（Ａｗ）を発生する回路である。該アドレスＡｗ発生回路３０は従来技術で周知のものである。
　該アドレス信号Ａｗはバッファメモリ２５へデータを書き込むための書き込み用アドレス信号として使用される。
　３２は代表格子点データ発生部であり、マイコンが使用される。代表格子点は、液晶パネル画面上の約１６×１６＝２５６ヶの格子点からなる。３３は、書き替え可能な不揮発性メモリで例えば汎用のＥ２ＰＲＯＭを使用できる。その必要番地数は、代表格子点の数に等しく約２５６ヶである。・・・
　ここに、ａ，ｂは前述のミスレジストレーションの最大値である。・・・３４は、補間演算部であり、次の計算を遂行する。
Ｘｉ＋ｘ，ｊ＋ｙ　＝Ｐｉ，ｊ　Ｘｉ，ｊ＋Ｐｉ＋１，ｊ　Ｘｉ＋１，ｊ　
　　＋Ｐｉ，ｊ＋１　Ｘｉ，ｊ＋１＋Ｐｉ＋１，ｊ＋１Ｘｉ＋１，ｊ＋１　
Ｙｉ＋ｘ，ｊ＋ｙ　＝Ｐｉ，ｊ　Ｙｉ，ｊ＋Ｐｉ＋１，ｊ　Ｙｉ＋１，ｊ　　
　　＋Ｐｉ，ｊ＋１　Ｙｉ，ｊ＋１＋Ｐｉ＋１，ｊ＋１　Ｙｉ＋１，ｊ＋１　　　　　　　　　　　　　　　…………………………………………（７）
　上式でｉ，ｊは、既述した書き込み用アドレス信号Ａｗ中の各々水平方向座標の上位４ｂｉｔ及び垂直方向座標の上位４ｂｉｔの値であり、各々０，１，２，……１５の値を持ち得る。これらは１６×１６ヶの代表格子点を意味する。
　Ｘｉ，ｊ　，Ｙｉ，ｊ　ｅｔｃ．は各々代表格子点データである。Ｐｉ，ｊ，Ｐｉ＋１，ｊ，Ｐｉ，ｊ＋１，Ｐｉ＋１，ｊ＋１は補間演算のための加重係数であり、直線補間の場合次式で与えられる。
　Ｐｉ，ｊ　　　　　＝（１−ｘ）（１−ｙ）
　Ｐｉ＋１，ｊ　　　＝ｘ（１−ｙ）　　　　　　　　　　　　……（８）
　Ｐｉ，ｊ＋１　　　＝（１−ｘ）ｙ
　Ｐｉ＋１，ｊ＋１　＝ｘｙ
（当審注；上記（８）の左に記載された右大括弧を省略した。）
　上式でｘ，ｙは書き込み用アドレスＡｗ中の各上位４ｂｉｔを除いた水平座標及び垂直座標である。
　即ち書き込み用アドレスＡｗは、次のようにベクトル表示できる。
　　Ａｗ＝（ｉ＋ｘ，ｊ＋ｙ）……………………（９）
　上式で、ｉ＋ｘは水平座標であり、ｉはその整数部で０〜１５の値を持ち、ｘは小数点以下を表す。また、ｉ＋ｙは垂直座標であり、ｊはその整数部で０〜１５の値を持ち、ｙは小数点以下を表す。
　全画素数が５１２×５１２画素の場合には、各々９ｂｉｔ故、ｘ，ｙは上位各４ｂｉｔを除いて各下位５ｂｉｔを表す。即ち、ｘ，ｙは各々、（０，１，２，……３１）×２−５の値を持つ。従って式（８）は、直線補間の原理を表したものと云える。
　式（７），（８）の演算結果は小数点以下を持つ。しかし通常の用途においてはこれを無視することができる。該（ｘｉ＋ｘ，Ｙｊ＋ｙ）の整数部は、第８図においてバッファメモリ２５に印加され、対応するアドレスに格納されている赤信号の値Ｒｒを読み出す。
　該赤信号の値は、従来技術で周知のラインメモリ２６に印加され、ＤＡコンバータ２７でＤＡ変換され、液晶パネル１４に印加され、その透過率を制御する。
　尚、データ発生部３２からは、工場での組立調整の段階で、代表格子の各々についてスクリーン画面上のミスレジストレーションを補償するためのデータがＥ２ＰＲＯＭ３３に書き込まれる。一度書き込まれて後は、このデータがＥ２ＰＲＯＭ内に保持されるため、電源をＯＦＦしても該データが失われることはない。従って、第１図において光学系部品が故障して取り換えるに至るまでは常にレジストレーションの良い画像を再生投写できる。
　上述の説明において、式（７）の演算結果を小数点以下を通常の用途では無視すると述べた。該丸め誤差が問題となるような精密応用の用途の場合には次のように小数点以下をも活用することができる。ｘｉ＋ｘ，ｊ＋ｙ　及びＹｉ＋ｘ，ｊ＋ｙの整数部をＭ，Ｎとし、その小数部をｍ，ｎとする。・・・・・
　バッファメモリからは（Ｍ，Ｎ）番地の信号値だけでなく、（Ｍ＋１，Ｎ），（Ｍ，Ｎ＋１）（Ｍ＋１，Ｎ＋１）番地の信号値をも読み出す。そして次式の補間演算出力を出力赤信号値Ｒｒとする。
　　　Ｒｒ＝（１−ｍ）（１−ｎ）ＲＭ，Ｎ　
　　　　　＋ｍ（１−ｎ）ＲＭ＋１，Ｎ　
　　　　　＋（１−ｍ）ｎＲＭ，Ｎ＋１　
　　　　　＋ｍｎＲＭ＋１，Ｎ＋１　……………………（１１）
　上記処理によって、よりきめの細かい画像を再生することができる。・・・・・
　以上でレジストレーションについての説明を終るが、第８図において、１４，２３，２４，２６，２７，２８，２９，３０，３１は従来技術で既知のものであり、２５，３２，３３，３４は本発明に固有の新規な点である。」（５ページ右下欄２行〜７ページ右上欄１７行）
　
１ｃ．「尚、第８図に示したミスレジストレーション補正のための回路構成を第１図に示した実施例と組合せた場合、第１図における投写レンズ１７，１９の光軸はスクリーン面に対して垂直である必要は必ずしもなく、スクリーン中心の方向へ傾けることが可能である。何故ならその際発生する台形歪みをも、第８図の構成で吸収できるからである。」（７ページ右上欄１８行〜左下欄４行）
　
３．対比・判断
　引用刊行物の上記「２．」の「１ａ．」乃至「１ｃ．」の記載から、以下のことが読み取れる。
・「１ａ．」及び「１ｂ．」の記載から、読み出しアドレスに基づき、メモリの該当するアドレスから格納されている画像信号を読み出し、読み出した画像信号に応じた画像を液晶パネルに表示すること。
・「１ｃ．」の記載から、「１ｂ．」に記載された構成を用いて、ミスレジストレーションばかりでなく台形歪みも補償できること。即ち、書き替え可能な不揮発性メモリ３３に格納される２次元座標位置（Ｘｉ，ｊ，Ｙｉ，ｊ）を、各代表格子点の座標値（ｉ，ｊ）をミスレジストレーション及び台形歪みに基づいて補正した値に設定すれば、ミスレジストレーションばかりでなく台形歪みも補償されるものであること。
・「１ｂ．」及び「１ｃ．」の記載から、
・・バッファメモリ２５は、Ｒ，Ｇ，Ｂ何れかのデータ入力信号のＡ／Ｄ変換値（画像信号）をａ×ｂ画素個分格納する容量を持ち、ａ，ｂは、それぞれ、ミスレジストレーションの水平、垂直方向の最大値（各画素についてミスレジストレーション及び台形歪みが存在するが、全画素についてみた場合のミスレジストレーション及び台形歪みの最大値を意味する。）であること。即ち、このようなバッファメモリ２５の格納容量の設定により、バッファメモリ２５内のある画素について、ミスレジストレーション及び台形歪みを補正するための画素位置が必ずバッファメモリ２５内に存在することが保証されること。また、バッファメモリ２５へのデータの書き込みには、水平座標及び垂直座標からなる２次元座標で表示されるアドレス信号Ａｗが使用され、該アドレス信号Ａｗは、データ入力信号に伴う水平同期信号２８及び垂直同期信号２９に基づいてアドレスＡｗ発生回路３０から出力されること。
・・書き替え可能な不揮発性メモリ３３には、前記アドレス信号Ａｗの２次元座標と所定の対応関係を有する２次元座標（ｉ，ｊ）でその位置が表される各代表格子点について、水平、垂直方向のミスレジストレーション及び台形歪みを補正するための画素位置を表す２次元座標（Ｘｉ，ｊ，Ｙｉ，ｊ）が格納されていること。
・・補間演算部３４は、バッファメモリ２５内のある画素についてのミスレジストレーション及び台形歪みを補正するための位置を、その画素とその画素を囲む４点の代表格子点との位置関係から決まる加重係数、及び、その４点の代表格子点のミスレジストレーション及び台形歪みを補正するための画素位置のアドレス座標から式（７），（８）を用いて計算し、それにより得られた水平座標値及び垂直座標値の各整数部からなる２次元座標（Ｍ，Ｎ）が、その画素のミスレジストレーション及び台形歪みを補正するための画素位置を表す座標値となることから、上記計算により得られた２次元座標（Ｍ，Ｎ）を、読み出しアドレスとして用い、ミスレジストレーション及び台形歪みを補正するための画素位置の画像信号を得ること。即ち、補間演算部３４は、バッファメモリ２５内のある画素についてのミスレジストレーション及び台形歪みを補正するための位置を、その画素とその画素を囲む４点の代表格子点との位置関係から決まる加重係数、及び、その４点の代表格子点のミスレジストレーション及び台形歪みを補正するための画素位置を表す２次元座標を用いて、その画素のミスレジストレーション及び台形歪みを補正するための画素位置に相当する、バッファメモリ２５内の画素の２次元座標（Ｍ，Ｎ）を計算し、バッファメモリ２５に対する読み出しアドレスとして出力すること。
　
　したがって、引用刊行物には、次の発明（以下、「引用発明」という。）が記載されているものと認められる。
「液晶パネルの表示画像をスクリーンに投写する際に発生する、ミスレジストレーション及び台形歪みを補正するための補正機能を備えた投写形ディスプレイにおいて、
　各画素毎の画像信号を格納するための、複数画素個分の格納容量を有するバッファメモリ２５であって、バッファメモリ２５内のある画素のミスレジストレーション及び台形歪みを補正するための画素位置が必ずバッファメモリ２５内に存在するように、その格納容量が予め設定されているバッファメモリ２５と、
　水平同期信号２８及び垂直同期信号２９に基づいて、２次元座標で表示されるバッファメモリ２５への書き込みアドレス信号Ａｗを出力するアドレスＡｗ発生回路３０と、
　前記アドレス信号Ａｗの２次元座標と所定の対応関係を有する２次元座標（ｉ，ｊ）でその位置が表される各代表格子点について、水平、垂直方向のミスレジストレーション及び台形歪みを補正するための画素位置を表す２次元座標（Ｘｉ，ｊ，Ｙｉ，ｊ）が予め格納されている書き替え可能な不揮発性メモリ３３と、
　バッファメモリ２５内のある画素について、その画素とその画素を囲む４点の代表格子点との位置関係から決まる加重係数、及び、その４点の代表格子点の前記補正するための画素位置を表す２次元座標を用いて、その画素のミスレジストレーション及び台形歪みを補正するための画素位置に相当する２次元座標（Ｍ，Ｎ）を計算し、バッファメモリ２５に対する読み出しアドレスとして出力する補間演算部３４とを有し、
　前記読み出しアドレスに基づき、バッファメモリ２５の該当するアドレスから前記画像信号を読み出し、読み出した画像信号に応じた画像を前記液晶パネルに表示することを特徴とする投写形ディスプレイ。」
　
　本願発明（前者）と上記引用発明（後者）とを対比する。
・後者の、「液晶パネル」、「投写形ディスプレイ」は、それぞれ、前者の、「表示デバイス」、「投写型表示装置」に相当する。
・後者の「表示画像をスクリーンに投写する際に発生する、ミスレジストレーション及び台形歪みを補正するための補正機能」は、前者の「映像信号に応じて表示した映像をスクリーンに投写した際に発生する、水平方向および垂直方向のひずみを補正するためのひずみ補正機能」と、「映像信号に応じて表示した映像をスクリーンに投写した際に発生する、ひずみを補正するためのひずみ補正機能」である点で共通する。
・後者の「各画素毎の画像信号を格納するための、複数画素個分の格納容量を有するバッファメモリ２５であって、バッファメモリ２５内のある画素のミスレジストレーション及び台形歪みを補正するための画素位置が必ずバッファメモリ２５内に存在するように、その格納容量が予め設定されているバッファメモリ２５」は、前者の「映像信号を記憶するフレームメモリ」と、「映像信号を複数画素分記憶する画像メモリであって、画像メモリ内のある画素のひずみを補正するための画素位置が、必ずその画像メモリ内に存在するように、その格納容量が予め設定されている画像メモリ」である点で共通する。
・後者の「水平同期信号２８及び垂直同期信号２９に基づいて、２次元座標で表示されるバッファメモリ２５への書き込みアドレス信号Ａｗを出力するアドレスＡｗ発生回路３０」は、前者の「水平方向および垂直方向の同期信号に基づき、映像信号を書き込むべきフレームメモリのアドレスデータを生成するアドレス生成手段」と、「水平方向および垂直方向の同期信号に基づき、映像信号を書き込むべき画像メモリのアドレスデータを生成するアドレス生成手段」である点で、共通する。
・後者の「アドレス信号Ａｗの２次元座標と所定の対応関係を有する２次元座標（ｉ，ｊ）でその位置が表される各代表格子点について、水平、垂直方向のミスレジストレーション及び台形歪みを補正するための画素位置を表す２次元座標（Ｘｉ，ｊ，Ｙｉ，ｊ）が予め格納されている書き替え可能な不揮発性メモリ３３」は、前者の「表示デバイスに前記ひずみの補正映像を表示するために、前記表示デバイスに出力すべき映像信号の水平方向および垂直方向の位置データを、フレームメモリのアドレスデータとして予め記憶するアドレス用メモリであって、前記フレームメモリのアドレスデータとして、前記補正映像をブロック単位で分割した際の当該ブロックの代表点となる映像信号の位置データのみが記憶されているアドレス用メモリ」と、「表示デバイスに前記ひずみの補正映像を表示するために、前記表示デバイスに出力すべき映像信号の水平方向および垂直方向の位置データを、アドレスデータとして予め記憶するアドレス用メモリであって、前記アドレスデータとして、前記補正映像をブロック単位で分割した際の当該ブロックの代表点となる映像信号の位置データのみが記憶されているアドレス用メモリ」である点で共通する。
・後者には、液晶パネルを駆動するための構成は明示されていないものの、液晶パネルの駆動のために、水平方向および垂直方向のタイミング信号を発生するタイミング発生手段を設けることは、普通に行われているところであるから、後者も、前者の「表示デバイスを駆動するための水平方向および垂直方向のタイミング信号を発生するタイミング発生手段」を備えているものと認められる。
・後者の「バッファメモリ２５内のある画素について、その画素とその画素を囲む４点の代表格子点との位置関係から決まる加重係数、及び、その４点の代表格子点の前記補正するための画素位置を表す２次元座標を用いて、その画素のミスレジストレーション及び台形歪みを補正するための画素位置に相当する２次元座標（Ｍ，Ｎ）を計算し、バッファメモリ２５に対する読み出しアドレスとして出力する補間演算部３４を有し、前記読み出しアドレスに基づき、バッファメモリ２５の該当するアドレスから前記画像信号を読み出し、読み出した画像信号に応じた画像を前記液晶パネルに表示する」は、前者の「アドレス用メモリからタイミング信号と同期して読み出した前記フレームメモリのアドレスデータに基づき、前記代表点以外の映像信号の位置データについては、前記アドレス用メモリに記憶されている前記代表点の映像信号の位置データに基づき加重平均に代表される補間処理により算出した前記フレームメモリのアドレスデータに基づき、前記フレームメモリの該当するアドレスから前記映像信号を読み出し、読み出した映像信号に応じた映像を前記表示デバイスに表示する」点と、「アドレス用メモリからタイミング信号と同期して読み出した画像メモリのアドレスデータに基づき、前記代表点以外の映像信号の位置データについては、前記アドレス用メモリに記憶されている前記代表点の映像信号の位置データに基づき加重平均に代表される補間処理により算出した前記画像メモリのアドレスデータに基づき、前記画像メモリの該当するアドレスから前記映像信号を読み出し、読み出した映像信号に応じた映像を前記表示デバイスに表示する」点で共通する。
　
　したがって、両者は、
「表示デバイスに映像信号に応じて表示した映像をスクリーンに投写した際に発生する、ひずみを補正するためのひずみ補正機能を備えた投写型表示装置において、
　前記映像信号を複数画素分記憶する画像メモリであって、画像メモリ内のある画素のひずみを補正するための画素位置が必ずその画像メモリ内に存在するように、その格納容量が予め設定されている画像メモリと、
　水平方向および垂直方向の同期信号に基づき、前記映像信号を書き込むべき前記画像メモリのアドレスデータを生成するアドレス生成手段と、
　前記表示デバイスに前記ひずみの補正映像を表示するために、前記表示デバイスに出力すべき前記映像信号の水平方向および垂直方向の位置データを、アドレスデータとして予め記憶するアドレス用メモリであって、前記アドレスデータとして、前記補正映像をブロック単位で分割した際の当該ブロックの代表点となる映像信号の位置データのみが記憶されているアドレス用メモリと、
　前記表示デバイスを駆動するための水平方向および垂直方向のタイミング信号を発生するタイミング発生手段とを有し、
　前記アドレス用メモリから前記タイミング信号と同期して読み出した画像メモリのアドレスデータに基づき、前記代表点以外の映像信号の位置データについては、前記アドレス用メモリに記憶されている前記代表点の映像信号の位置データに基づき加重平均に代表される補間処理により算出した前記画像メモリのアドレスデータに基づき、前記画像メモリの該当するアドレスから前記映像信号を読み出し、読み出した映像信号に応じた映像を前記表示デバイスに表示することを特徴とする投写型表示装置。」
　の点の構成で一致し、以下の各点で相違する。
［相違点１］
　表示デバイスに表示した映像をスクリーンに投写した際に発生する「ひずみ」に関して、前者が、「水平方向および垂直方向のひずみ」であるのに対して、後者は、「ミスレジストレーション及び台形歪み」である点。
［相違点２］
　前者が、映像信号を格納するフレームメモリを設けているのに対し、後者は、その格納容量が予め設定されているバッファメモリ２５を設けている点。
　
　そこで、上記各相違点について検討する。
［相違点１］について
　引用刊行物には、水平及び垂直方向の歪み成分を有する、ミスレジストレーション及び台形歪みについて、その補償のために水平方向および垂直方向の補正を行うことが示されている。また、投写映像がスクリーンに対して斜め方向に投写する使用形態においては、水平方向および垂直方向のひずみ成分が生ずることは明らかである。
　そして、引用刊行物にも、投写時の画像歪みの一種である台形歪みの補正について言及されていること、また、画像メモリの読み出しアドレスを格納したテーブルを設け、その格納内容を映像の任意の歪みに適合するようにして映像の歪みの補正を行うことが、従来周知であること（例えば、特開平４−２５３４９０号公報［明細書の【特許請求の範囲】には、「【請求項１】映像信号をデジタル信号に変換するアナログデジタル変換器と、前記アナログデジタル変換器により得られるデジタル映像信号を記憶するメモリと、前記メモリに記憶されている前記デジタル映像信号のアドレスを変換するアドレス制御部とを具備し、前記アドレス制御部により前記アドレス変換されたデジタル映像信号を映出する映出手段を有するカラーテレビジョン受像機。【請求項２】アドレス変換ルールが記憶されている変換アドレス参照テーブルを有し、アドレス制御部によるアドレスの変換が、前記変換アドレス参照テーブルに基づいて行われる請求項１記載のカラーテレビジョン受像機。」と記載され、また、段落【００１４】乃至【００１７】には、「図２（ａ）に示すように、ラスター２２が歪んでいないときには、歪んでいない映像２３がテレビジョン画面２１に映出されるが、ラスターが図２（ｂ）のように歪んでいるときには、歪んでいる映像２５がテレビジョン画面２１に映出されることになる。本発明は、歪んでいるラスター２４を補正することなく、図１に示した構成によって映像信号を処理することにより、図２（ｃ）に示すように、テレビジョン画面２１内に、ラスターが歪んでいないときの映像２３と同様の歪んでいない映像２６を映出するものであり、Ｒ・Ｇ・Ｂ各々について、この処理を行えば、コンバーゼンスを達成することができる。この処理は、コンピュータグラフィックスで行われる図形変換であり、カラーテレビジョン受像機として用いる場合は、この変換は、個々の受像機に対してその陰極線管とその電子ビームを制御する電磁部品の組合せで決まる値の固定となるので、図１に示すように、変換アドレス参照テーブルを用いることにより実現できる。・・・ラスター２４は歪んだままであるが、目的とする長方形の画像が歪むことなく映像２６として映出される。・・・なお、上記実施例は、任意に歪んでいる場合を考慮したものであるが、元のＲ・Ｇ・Ｂの映像が、単に水平方向や、垂直方向、あるいは、斜め方向に平行移動した場合についてのみに適用することを考える場合には、図１に示した構成よりも、もっと簡単な構成により、同様にアドレス変換により実現することができる。」と記載されている。］参照。）を勘案すれば、引用刊行物に示されるような水平方向および垂直方向のひずみ補正の技術を、本願発明のような斜め方向投写の場合のひずみ補正に適用して相違点１に係る構成とすることは、当業者が格別の推考力を要することなくなし得る程度のことと認められる。
［相違点２］について
  映像信号を格納するフレームメモリを設け、フレームメモリのアドレスを指定して映像信号を読み出し、表示デバイスに表示することは、例示するまでもなく周知のことであり、このような周知事項を適用して相違点２に係る構成とすることは、当業者が格別の推考力を要することなくなし得る程度のことと認められる。
　
　そして、本願発明による効果も、引用刊行物の記載及び上記周知事項から当業者が予測しうる範囲内のものにすぎない。
  以上のとおりであるから、本願発明は、引用発明及び周知事項に基づいて当業者が容易に発明をすることができたものである。
　
４．請求項１及び３に係る発明について
　本願の請求項３に係る発明のうち、請求項１を直接引用する発明は、本願発明から請求項４に係る限定事項を省いたものであり、また、請求項１に係る発明は、本願発明から請求項３及び４に係る限定事項を省いたものである。
　そうすると、請求項１及び３の構成要件を全て含み、さらに他の構成要件を付加したものに相当する本願発明が、前記「３．」に記載したとおり、引用発明及び周知事項に基づいて当業者が容易に発明をすることができたものであるから、請求項１及び３に係る発明も、同様の理由により、引用発明及び周知事項に基づいて当業者が容易に発明をすることができたものである。
　
５．むすび
　以上のとおりであるから、本願の請求項１、３及び４に係る発明は、特許法第２９条第２項の規定により特許を受けることができない。
　そして、本願の請求項１、３及び４に係る発明が特許を受けることができないものであるから、その余の請求項に係る発明について検討するまでもなく、本願は拒絶すべきものである。
　よって、結論のとおり審決する。